(57)【要約】【課題】発光部で発生した熱が伝達される部分に手指が触れても熱さを感じさせないようにできる、構成が簡素で廉価な小型の照明装置を提供する。【解決手段】照明装置８５０は、装置本体に設置された手動操作されるスイッチ類に対して、発光部を内蔵した先端ハウジング部８６０が臨むように取り付けて用いる。この先端ハウジング部８６０の、スイッチ類に対向する外装表面に、外装表面から部分的に出っ張るように凸状に形成された接触感熱緩和部２１を設ける。また、接触感熱緩和部２１を複数のリブ状に形成し、これらのリブの間に冷却用の空気を通す通気口４１を設け、装置本体のスイッチ類を手動操作する手指が接触感熱緩和部２１に接触しても、過度の熱が感知されることを抑制する。【選択図】図１
2010016524.tif 000002
【特許請求の範囲】
【請求項１】
装置本体に取り付け可能な照明装置において、
前記照明装置の、前記装置本体の把持部と対向する外装表面に、当該外装表面から部分的に出っ張るように凸状に形成された接触感熱緩和部を設けたことを特徴とする照明装置。
【請求項２】
前記照明装置の、前記装置本体と対向する外装表面の部分を、外に凸となる湾曲した曲面に形成したことを特徴とする請求項１記載の照明装置。
【請求項３】
前記接触感熱緩和部が、前記先端ハウジング部の前記外装表面から一体的に線状に延出する突部に形成されたリブであることを特徴とする請求項１又は請求項２記載の照明装置。
【請求項４】
前記リブの線状に延出する長手方向が、前記装置本体を把持する状態の手指の長手方向と交差する方向となるように構成されていることを特徴とする請求項３記載の照明装置。
【請求項５】
前記先端ハウジング部に設けた複数の前記リブの間に、前記先端ハウジング部の内部に通じる通気口を配置したことを特徴とする請求項４に記載の照明装置。
【発明の詳細な説明】
【技術分野】
【０００１】
本発明は、撮像装置に着脱可能に装着して被写体を照明するのに用いて好適な、ビデオライト等の照明装置に関する。
【背景技術】
【０００２】
従来の撮像装置には、光軸方向に長いビデオカメラがある。このようなビデオカメラでは、装置の小型化に伴い撮像装置上面の長さが短くなっている。このため、小型のビデオカメラでは、ユーザがビデオカメラを保持しながら操作を行う右手の位置に対して、前又は後ろの接近した位置しかアクセサリーシューを配置できる場所が無くなっている。特に小型のビデオカメラでは、前端側にレンズユニット等の大きなユニットがレイアウトされる為、後端寄りにアクセサリーシューを配置することが多くなってきている。
【０００３】
このような小型のビデオカメラでは、ユーザの手による保持位置よりも後端寄りに配置したアクセサリーシューにビデオライトを取り付けた場合に、ビデオライト発光部の光がビデオカメラ前面でケラレないようにする必要がある。そこで、従来のビデオライトでは、発光部の位置を高くするためにアクセサリーシューとの間に長く伸びた脚部を設けたものが提案されている（例えば、特許文献１参照）。
【０００４】
このような長く伸びた脚部を備えたビデオライトでは、脚部の長さをアクセサリーシューから撮像装置先端までの距離に比例して長くする必要があるので、ビデオライトが大型化してしまい、撮像装置を小型化した意味が薄れてしまう。
【０００５】
そこで従来のビデオライトでは、発光部を光軸方向の前側に延出させるように配置して脚部を短く構成したものが提案されている（例えば、特許文献２参照）。
【０００６】
また、ビデオライトでは、ハロゲンランプ等の光源を発光させて使用しているときに、ハロゲンランプの発熱によってビデオライトの外側面の温度が上昇し、特に放熱構造部分の温度が高くなる。
【０００７】
このため、ビデオライトを装着したビデオカメラで撮影中に、ビデオカメラを保持したユーザの手がビデオライトの温度の高い部分へ不用意に接触すると、ユーザがびっくりして手を動かし撮影画像がブレてしまうという虞がある。
【０００８】
そこで、例えば特許文献２のビデオライトでは、発光部を光軸方向の前側に延出させるように構成し、ビデオライトの発光部の撮像装置下側の部位に電池や回路を実装している。これと共に、このビデオライトでは、ビデオカメラを保持したユーザの手が触れ難いビデオライト上面位置にライトの放熱構造を配置している。
【０００９】
また、ビデオライトの更なる小型化を図る場合には、光源を操作する右手に可能な限り近付け、装置前面で蹴られない範囲で光源をビデオカメラ前端部から後ろに下げ、ビデオライトの全体を略横Ｌ字型に構成することが有利である。
【００１０】
さらに、小型化のため全体を略横Ｌ字型（鉤形）に形成したビデオライトでは、光軸に平行な部分の少なくとも下面を発光部の形状を少し大きくした形状とする。また、この略横Ｌ字型のビデオライトでは、光軸に平行な部分の下側に手を動かすことが可能な最低限の大きさのスペースを残す構成とすることが有利である。しかし、このように構成して小型化を図る場合には、ビデオライトに撮像装置を保持して操作する手指が接触する可能性が多くなる。
【特許文献１】特開２００７−１１４３６３号公報
【特許文献２】特開平８−２５１４５８号公報
【発明の開示】
【発明が解決しようとする課題】
【００１１】
上述したように、撮像装置の小型化に伴ってアクセサリーシューを後端部に配置する制約に対応し、ビデオライトの小型化を図る場合には、手指に近い部分に発光部を配置する必要がある。そこで、ビデオライトの全体を略横Ｌ字型に形成し、手指の近傍に温度が高くなる光源部分を配置する構造が採用された。
【００１２】
ここで、このビデオライトでは、温度が高くなる光源部分の温度を下げる為に、大型の放熱用の部材を操作する手と発光部の間に追加して配置すると、ビデオライトが大型化し、ビデオライトを小型化するという目的に反することになる。
【００１３】
本発明の目的は、発光部で発生した熱が伝達される部分に手指が触れても熱さを感じさせないようにできる、構成が簡素で廉価な小型の照明装置を提供することを目的とする。
【課題を解決するための手段】
【００１４】
上記目的を達成するために、本発明の照明装置は、装置本体に取り付け可能な照明装置において、前記照明装置の、前記装置本体の把持部と対向する外装表面に、当該外装表面から部分的に出っ張るように凸状に形成された接触感熱緩和部を設けたことを特徴とする。
【発明の効果】
【００１５】
本発明によれば、発光部で発生した熱が伝達される部分に接触感熱緩和部を設けたので、この接触感熱緩和部に手指が触れても熱さを感じさせないようにした、構成が簡素で廉価な小型の照明装置を提供できるという効果を奏する。
【発明を実施するための最良の形態】
【００１６】
以下、本発明の実施の形態について図面を参照しながら説明する。
【００１７】
図１は、本発明の実施の形態に係わる照明装置としてのビデオライトを、撮像装置としてのビデオカメラ本体に着脱可能に装着した状態を示す側面図である。
【００１８】
図２は、本発明の実施の形態に係わる照明装置としてのビデオライトを、撮像装置としてのビデオカメラ本体に着脱可能に装着した状態を示す正面図である。
【００１９】
図１及び図２において、１１はビデオカメラ、１２はビデオライト、１３はビデオカメラを操作するユーザの手指、１５はレンズユニットである。また、１４はビデオライト８５０のビデオカメラ１１の画角に対する有効な照射範囲を示す。
【００２０】
このビデオカメラ１１では、小型化のため、ビデオライト８５０等のアクセサリーを装着するシュー１６の位置を、操作時の手指１３の近傍に当たる後端寄りに配置している。すなわち、このビデオカメラ１１では、ビデオカメラの装置本体の上部中央及びその前後がビデオカメラの把持部として機能する。そして、この把持部に設置された手動操作用のスイッチ、レバー、ダイヤル又は操作子等であるスイッチ類をユーザが手指１３で操作するよう構成されている。
【００２１】
このようなビデオカメラ１１の後端部のシュー１６に装着されるビデオライト８５０は、シュー１６から直上にビデオカメラ１１の画角に対する有効な照射範囲を確保するのに必要な高さまで立ち上がる部分を有する。これと共に、ビデオライト８５０は、必要な高さまで立ち上がった所からビデオカメラ１１の上面と平行に発光部分を被写体側（前方）に延出させるよう構成することにより、高さ方向への寸法を抑え、かつケラレの発生しないＬ字型に構成する。なお、ビデオライト８５０は、強度やデザイン性を考慮し、発光部分の高さ位置を決定する。
【００２２】
次に、上述のようにビデオカメラ１１のシュー１６にビデオライト８５０を装着した状態におけるカメラシステムについて、図８を参照して説明する。
【００２３】
図８は、ビデオカメラ１１にビデオライト８５０を装着した状態におけるカメラシステムの概略構成を示すブロック図である。
【００２４】
図８に示すカメラシステムで、１１はビデオカメラ、８５０はビデオライトである。このビデオカメラ１１は、電源であるバッテリ８０２（図示しないＡＣ／ＤＣアダプター）にて駆動する。このビデオカメラ１１は、制御部８０３、レンズ８０４、シャッター８０５、ＣＣＤ  ８０６、映像処理部８０７、記録装置８０８と、図示しない電子部品、外装、筐体を備える。
【００２５】
また、ビデオライト８５０は、ビデオカメラ１１と接続する為の接続部８５１、ビデオカメラ１１との電源、信号を制御する制御部８５２、発光部としてのランプ８５３、反射傘８５４及び外装を構成する先端ハウジング部８６０等を備える。
【００２６】
発光部のランプ８５３は、ハロゲンランプを使用しており、ビデオライト駆動時に点灯することで発熱する。また、このランプ８５３の光を効率良く前方に照射するための反射傘８５４は、ランプ８５３の光と熱を受けて、温度が上昇する。
【００２７】
次に、ビデオライトについて、図３乃至図７により説明する。
【００２８】
図３は、本発明の実施の形態に係わる照明装置としてのビデオライトを取り出して示す斜視図である。
【００２９】
図４は、本発明の実施の形態に係わる照明装置としてのビデオライトを取り出して発光部を断面で示す正面図である。
【００３０】
図５は、本発明の実施の形態に係わる照明装置としてのビデオライトを取り出して示す底面図である。
【００３１】
図６は、本発明の実施の形態に係わる照明装置としてのビデオライトを取り出して示す正面図である。
【００３２】
図７は、本発明の実施の形態に係わる照明装置としてのビデオライトを取り出し、発光部を部分断面で示す側面図である。
【００３３】
このビデオライト８５０は、シュー１６に装着される基端部から立ち上がって鉤状に曲がって延出するよう構成したＬ字型に形成した自由端部に、ランプ８５３及びお椀状に形成した反射傘８５４が配置されている。
【００３４】
このビデオライト８５０では、その全体を覆うカバーとなる先端ハウジング部８６０の自由端部分を、お椀状の反射傘８５４を余分なスペースを設けること無くカバーするよう円筒状に伸ばして形成した先端ハウジング部８６０としている。
【００３５】
この先端ハウジング部８６０の内部には、発光部であるランプ８５３及び反射傘８５４のみを配置する。すなわち、先端ハウジング部８６０の内部には、ランプ８５３及び反射傘８５４のみが内蔵されるように構成する。
【００３６】
この先端ハウジング部８６０は、ランプ８５３との距離が近いため、その表面温度が上昇する。そこで、先端ハウジング部８６０では、冷却手段として、先端ハウジング部８６０の上面部と下面部とにそれぞれ通気孔４１を設け、下から温度の低い空気を取入れ、ランプ８５３及び反射傘８５４を冷却して昇温した空気を上から排出するよう構成する。
【００３７】
このように構成することにより、ランプ８５３及び先端ハウジング部８６０の温度上昇を抑制できる。特に、先端ハウジング部８６０のビデオカメラ１１に対向する下側では、下側の通気孔４１から温度の低い空気（まだ冷却に用いられていない空気）が常に新たに流入するので、下側の通気孔４１周囲の冷却効果を向上することができる。
【００３８】
また図１に示すように、このビデオライト８５０では、シュー１６に装着される基端部の接続部８５１から立ち上がる部分の高さを、所要の低い高さに設定している。すなわち、このビデオライト８５０では、ビデオライト８５０の先端ハウジング部８６０の下側に、ビデオカメラ１１に添えた手指１０３が入り、先端ハウジング部８６０の下側との間に若干の余裕を取る隙間を作るように構成する。
【００３９】
また、このビデオライト８５０では、基端部の接続部８５１から立ち上がる部分に、制御部８５２やアクセサリーシューとの接続端子、配線等を収納するよう構成されている。
【００４０】
上述のように構成したビデオライト８５０を装着したビデオカメラ１１をユーザが使用する場合には、撮影時のズーム操作やシャッター操作をする為に、手指１３がビデオライト８５０の発光部分の直下にくる。
【００４１】
このため、ユーザが撮影中に被写体に意識が集中していると、手指１３がビデオライト８５０の近傍にあることを意識せずにズーム等の操作をし又はビデオカメラ１１をグリップしなおす等の動作の際に、手指がビデオライト８５０に触れることがある。
【００４２】
このとき、ユーザは、手指がビデオライト８５０に触れた際のビデオライト８５０の先端ハウジング部８６０の外装の温度が高いことによる違和感のために、反射的にビデオライト８５０を保持していた手指１３が動き、画像がブレる等の虞があった。
【００４３】
そこで、このビデオライト８５０では、ユーザの手指１３が接触し易い部分に、接触感熱緩和用の手段（接触感熱緩和部）を設ける。このビデオライト８５０では、ユーザの手指１３が接触し易い部分が、先端ハウジング部８６０下面であるので、そこに接触感熱緩和用の手段を構成する。
【００４４】
この先端ハウジング部８６０の下面部分は、断面円弧状に形成されている。この先端ハウジング部８６０の下面部分は、外に凸となる湾曲した曲面に形成しても良い。このように構成することにより、手指１３の背の平面状の部分が、断面円弧状の先端ハウジング部８６０の下面部分に接触した場合には、円弧に対して直線が点接触する如く、狭い面積で接触することになる。このため、手指１３で先端ハウジング部８６０の温度が高いことによる違和感を受ける面積が小さくなり、違和感を受ける程度も低く抑制できる。
【００４５】
さらに、ビデオライト８５０における先端ハウジング部８６０の円弧状の下面には、接触感熱緩和用の手段を構成するため、図２に示すような複数条（ここでは５条）のリブ２１を先端ハウジング部８６０に外装材と同一部材で一体的に形成する。
【００４６】
この接触感熱緩和用の手段（接触感熱緩和部）である各リブ２１は、ビデオカメラ１１を把持している手指１３の長手方向に対して交差する方向（ここでは直交する方向）に沿って延びる線状の突部に形成する。なお、リブ２１は、先端ハウジング部８６０の外装表面４２より突出する凸リブとして構成するもので、直線状又は曲線状に形成しても良い。また、複数のリブ２１は、相互に平行に配置する。
【００４７】
図４及び図５に示すように、先端ハウジング部８６０の下円弧面部には、複数のリブ２１の相互間に、長穴状に貫通された開口である通気口４１を穿設する。
【００４８】
また、図４に示すように、先端ハウジング部８６０における通気口４１の直上に対応する天面（上円弧面部）には、長穴状に貫通された開口である、放熱用の通気穴２２を穿設する。
【００４９】
このビデオライト８５０では、これを装着するビデオカメラ１１の操作時の手指１３の位置やレイアウトに対応して、リブ２１の高さを１ｍｍ、間隔を１．６ｍｍに構成した。なお、リブ２１の高さ、間隔及びその数は、ビデオカメラ１１やビデオライト８５０のデザイン等々の要件により決められる数値であるので、本実施の形態の寸法に限定されるものではない。
【００５０】
このように構成したビデオライト８５０では、ビデオカメラ１１の操作時に手指１３がビデオライト８５０に接触した際に、リブ２１の天面４３部分にのみ触れることになる。よって、このビデオライト８５０では、先端ハウジング部８６０の昇温した外装表面４２に手指１３が広範囲に触れることがない。
【００５１】
さらに、このビデオライト８５０では、リブ２１の外側に突出した頂点部分（頭部）が、通気口４１に入り込む空気に広い面積で触れて冷却され、またリブ２１の外装表面４２からの高さ分だけ内部の熱源からの距離が離れる。このため、このビデオライト８５０では、外装表面から部分的に出っ張るように凸状に形成されたリブ２１における、外側に突出した頂点部分（頭部）の温度が、外装表面４２の温度と比較して５℃程度下がる。よって、ユーザは、手指１３が直接触れるリブ２１の頂点部分の面積が小さく、かつ温度が低いので、実際に不快な温度（温度が高いことによる違和感）を感じる事がなく、驚いて撮影時にブレたりするようなことを抑制して安定した撮影が可能となる。
【００５２】
また、このビデオライト８５０の先端ハウジング部８６０には、リブ２１の間で谷間となる操作時の手指１３が直接触れない位置に通気口４１が設けてあるため、孔４１が手指１３で塞がれてしまうことを抑制できる。特に、ユーザが手指１３に手袋をしてビデオカメラ１１を操作する場合には、手袋をはめた手指１３がリブ２１に触れていることに気付かずに、そのまま撮影の動作が行われることがある。このような状況でも、手指１３とリブ２１の谷間との隙間から空気が流入するので、通気口４１から空気の取入れができなくなることを防止できる。
【００５３】
なお、上述した実施の形態では、リブ２１をビデオライト８５０における先端ハウジング部８６０の下側に設けたものを示した。但し、このリブ２１は、ビデオカメラ１１のレイアウトや、ビデオライト８５０の形状や取り付け位置等に対応して、ビデオライト８５０の側面や、その他の部分へ設けても良い。
【００５４】
なお、ビデオライト８５０における先端ハウジング部８６０は、円筒形状なので、例えば、リブなどが無い状態であっても、平面と異なり触れた手指の接触面積が狭く、接触面から手指へ伝わる熱量が少ない。さらに、先端ハウジング部８６０の円周面にリブ２１を設ける事で、手指１３が一度に接触するリブ２１の個数を減少させることができる。さらに、リブ２１が凸リブ形状であることから、リブ２１先端の温度を下げ、手指１３との接触面積を点に近い非常に少ない面積とすることで触れた手指に伝わる熱量を少なくできる。また、操作時に手指１３がリブ２１に触れるのはごく短時間であるため、手指１３の温度が上昇しない。
【００５５】
また、このビデオライト８５０では、手指１３の触れる方向とリブ２１の延長方向とが、直交するように構成している。これにより、手指１３がビデオライト８５０に触れた際に、更に少ない面積で接触するようにできる。このリブ２１と手指１３の方向については、リブ２１を設ける面を選定する場合と同様に、手指１３の長手方向とリブ２１の長手方向が同方向となるように構成しても良い。
【００５６】
この様に、このビデオライト８５０では、先端ハウジング部８６０の外装と一体的にリブ２１を設けたので、手指１３が接触した時に、リブ２１の温度の低い部分で少ない面積で接触することとなって温度による違和感を伝えにくくできる。よって、ユーザの手指１３がリブ２１に不用意に触れた際にも特に違和感を受けること無く、ビデオカメラ１１の操作を行なう事が可能となる。
【００５７】
なお、先端ハウジング部８６０に設ける接触感熱緩和用の手段（接触感熱緩和部）としてのリブ２１は、外装表面から突出する球状の突起や格子状の凸形状等に形成しても同様の効果を得ることが可能である。
【図面の簡単な説明】
【００５８】
【図１】本発明の実施の形態に係わる照明装置としてのビデオライトを、撮像装置としてのビデオカメラ本体に着脱可能に装着した状態を示す側面図である。
【図２】本発明の実施の形態に係わる照明装置としてのビデオライトを、撮像装置としてのビデオカメラ本体に着脱可能に装着した状態を示す正面図である。
【図３】本発明の実施の形態に係わる照明装置としてのビデオライトを取り出して示す斜視図である。
【図４】本発明の実施の形態に係わる照明装置としてのビデオライトを取り出して発光部を断面で示す正面図である。
【図５】本発明の実施の形態に係わる照明装置としてのビデオライトを取り出して示す底面図である。
【図６】本発明の実施の形態に係わる照明装置としてのビデオライトを取り出して示す正面図である。
【図７】本発明の実施の形態に係わる照明装置としてのビデオライトを取り出し、発光部を部分断面で示す側面図である。
【図８】ビデオカメラにビデオライトを装着した状態におけるカメラシステムの概略構成を示すブロック図である。
【符号の説明】
【００５９】
１１  ビデオカメラ
１４  照射範囲
１６  シュー
２１  リブ
２２  通気穴
４１  通気口
４２  外装表面
４３  外側に突出した頂点部分
８５１  接続部
８５０  ビデオライト
８５３  ランプ
８５４  反射傘
８６０  先端ハウジング部
【図１】
2010016524.tif 000003
【図２】
2010016524.tif 000004
【図３】
2010016524.tif 000005
【図４】
2010016524.tif 000006
【図５】
2010016524.tif 000007
【図６】
2010016524.tif 000008
【図７】
2010016524.tif 000009
【図８】
2010016524.tif 000010